(57)【要約】【課題】訪問者の来訪を検出した際に、現在居る住人の種類に応じて適切な訪問者対応処理を実行できるようにする。【解決手段】屋内監視システムは、ホームコントローラ１、訪問者対応システム２を有し、ホームコントローラ１は、訪問者の来訪を検出した際に、現在居る住人の種類に応じた訪問者対応処理を選択して実行させる。例えば、親が居る場合には、訪問者が来訪したことを報知する屋内通知を行い、子供しか居ない場合には、訪問者に要件を問い合わせる要件確認応答を行ってその回答結果を外出中の親などが所持している携帯端末に通知する。【選択図】  図1
2005135230.tif 000002
【特許請求の範囲】
【請求項１】
訪問者の来訪を検出した際に、訪問者対応処理を実行する屋内管理システムであって、
現在居る住人を認識してその種類を特定する特定手段と、
訪問者の来訪を検出した際に、前記特定された住人の種類に対応付けられている訪問者対応処理を選択して実行する制御手段と、
を具備したことを特徴とする屋内管理システム。
【請求項２】
住人の種類は、応対能力や身体能力などの各人の能力特性に応じて任意に設定された分類情報であり、
前記制御手段は、能力の高い住人が居る場合には、訪問者が来訪したことを報知する屋内通知を行い、能力の低い住人しか居ない場合には、訪問者に要件を問い合わせる要件確認応答を行ってその回答結果を能力の高い住人所持の携帯端末に通知する、
ようにしたことを特徴とする請求項1記載の屋内管理システム。
【請求項３】
前記特定手段は、現在居る住人を認識してその種類を特定する他に、訪問者を認識してその種類を特定し、
前記制御手段は、前記特定された住人の種類と訪問者の種類との対応関係に従って訪問者対応処理を選択して実行する、
ようにしたことを特徴とする請求項1記載の屋内管理システム。
【請求項４】
前記特定された住人の種類が子供の場合に、前記制御手段は、訪問者が知人であれば、訪問者が来訪したことを報知する屋内通知を行い、訪問者が宅配・集金人などの特定業者であれば、訪問者が来訪したことを報知する屋内通知と、外出中の大人が所持している携帯端末への通知と、訪問者に一時待機を促す待機応答を行い、訪問者が不定であれば、訪問者に要件を問い合わせる要件確認応答を行ってその回答結果を外出中の大人が所持している携帯端末への通知を行う、
ようにしたことを特徴とする請求項３記載の屋内管理システム。
【請求項５】
前記特定された住人の種類が御年寄り場合に、前記制御手段は、訪問者が知人あるいは宅配・集金人などの特定業者であれば、訪問者が来訪したことを報知する屋内通知を行い、訪問者が不定であれば、訪問者に要件を問い合わせる要件確認応答を行ってその回答結果を外出中の他の大人が所持している携帯端末に通知する、
ようにしたことを特徴とする請求項３記載の屋内管理システム。
【請求項６】
前記特定手段は、住人の入場・退場時に撮影された撮影画像と予め登録されている登録画像とを比較することによって住人の種類を特定する他、訪問者を撮影した撮影画像と予め登録されている登録画像とを比較することによって訪問者の種類を特定する、
ようにしたことを特徴とする請求項３記載の屋内管理システム。
【請求項７】
前記複数種の住人が居る場合には、その中から優先順位の高い種類を特定する、
ようにしたことを特徴とする請求項１記載の屋内管理システム。
【請求項８】
屋内セキュリティを管理する屋内管理システムであって、
住人毎に予め登録されているセキュリティレベルを記憶管理するセキュリティ情報記憶手段と、
現在居る住人を認識してその住人対応のセキュリティレベルを特定する特定手段と、
この特定手段によって特定されたセキュリティレベルに従って屋内セキュリティシステムの動作状態を制御する制御手段と、
を具備したことを特徴とする屋内管理システム。
【請求項９】
前記セキュリティレベルは、屋内セキュリティシステムを非稼動状態とするオフレベルと、屋内セキュリティシステムを全稼動状態とするフルレベルと、それらの間のレベルとを含み、その中から任意に指定された何れかのセキュリティレベルを住人に対応付けて登録する、
ようにしたことを特徴とする請求項８記載の屋内管理システム。
【請求項１０】
前記特定手段は、住人が現在居ない場合には前記フルレベルを特定する、
ようにしたことを特徴とする請求項９記載の屋内管理システム。
【請求項１１】
前記屋内セキュリティシステムは、ドアロック作動システム、監視カメラシステム、センサ検知システム、通報システム、訪問者対応システムなどであり、前記特定されたセキュリティレベルに従って各セキュリティシステムの動作状態を制御する、
ようにしたことを特徴とする請求項８記載の屋内管理システム。
【請求項１２】
前記特定手段は、現在居る住人を認識すると共に、その現在の状態を認識し、この住人の現在の状態に応じてセキュリティレベルを特定する、
ようにしたことを特徴とする請求項８記載の屋内管理システム。
【請求項１３】
コンピュータに対して、
現在居る住人を認識してその種類を特定する機能と、
訪問者の来訪を検出した際に、前記特定された住人の種類に対応付けられている訪問者対応処理を選択して実行する機能と、
を実現させるためのプログラム。
【請求項１４】
コンピュータに対して、
住人毎に予め登録されているセキュリティレベルを記憶管理する機能と、
現在居る住人を認識してその住人対応のセキュリティレベルを特定する機能と、
特定されたセキュリティレベルに従って屋内セキュリティシステムの動作状態を制御する機能と、
を実現させるためのプログラム。
【発明の詳細な説明】
【技術分野】
【０００１】
この発明は、訪問者の来訪を検出した際に訪問者対応処理を実行したり、屋内セキュリティを管理する屋内管理システムおよびプログラムに関する。
【背景技術】
【０００２】
従来、訪問者の来訪を検出した際に、訪問者対応処理を実行するようにしたシステムとしては、例えば、監視カメラが訪問客や侵入者を捕捉したときに、その監視カメラの映像を移動端末へ送信するようにした監視システムが知られている（特許文献１参照）。
また、ホームセキュリティ管理システムとしては、監視カメラで撮影した動画像を携帯端末へ送信することによって家の内外部の詳細な情報や訪問者の識別や要件を外出先でも確認できるようにしたホームセキュリティシステムが知られている（特許文献２参照）。
【特許文献１】特開２００３−１９９０８８号公報
【特許文献２】特開２００１−０７６２７３号公報
【発明の開示】
【発明が解決しようとする課題】
【０００３】
上述した特許文献１の技術にあっては、監視カメラが訪問客や侵入者を捕捉したときの映像を外出先で知ることができ、また、特許文献２の技術にあっては、住人が外出先から家の内外部の状況を知ることができるが、何れの技術も、住人が留守の場合を前提とするものであった。
ところで、一般に、一般家庭には、近所の人、知人、配達人、集金人、外交員、不審者等、様々な人が来訪するが、例えば、小学生以下の子供にあっては、配達人、集金人、外交員が来訪しても適切な応対は困難であり、また、御年寄りにあっては、集金人、外交員との応対時に騙されたり、錯誤などのおそれがあった。また、小学生以下の子供、御年寄り、身体障害者、病人などしか家に居ないような場合に、見知らぬ者との応対は危険過ぎると言わざるを得ない。
【０００４】
一方、ホームセキュリティシステムの普及によって、家内には、例えば、扉の開閉を自動制御するドアロック装置、侵入者を撮影監視する監視カメラ、火災発生／ガス漏れ発生／ガラス破壊などを検知する各種センサ、非常事態の発生を外部に警報する非常通報装置などが設備されているが、これらの各セキュリティ装置を全て常時稼動させておくことは電力消費量が多くなる他、不必要な作動、過敏な作動、誤った作動も多くなり、また、外出する毎に各セキュリティ装置を稼動させる場合、その都度、家に誰が居るかを確認しなければならず、また、操作忘れなどの危険もある等の各種の問題があった。
【０００５】
第１の発明の課題は、訪問者の来訪を検出した際に、現在居る住人の種類に応じて適切な訪問者対応処理を実行できるようにすることである。
第２の発明の課題は、現在居る住人に応じてセキュリティシステムの動作状態を適切に制御できるようにすることである。
【課題を解決するための手段】
【０００６】
請求項１記載の発明（第１の発明）は、訪問者の来訪を検出した際に、訪問者対応処理を実行する屋内管理システムであって、現在居る住人を認識してその種類を特定する特定手段と、訪問者の来訪を検出した際に、前記特定された住人の種類に対応付けられている訪問者対応処理を選択して実行する制御手段とを具備したことを特徴とする。
なお、この場合の「住人」とは、一般的な意味合いとは異なり、家族の他、同居人および一時的な滞在者をも含むことを意味し、更に、家族であれば、居住の有無を問わないことを意味している（以下、同様）。
更に、コンピュータに対して、上述した請求項１記載の発明に示した主要機能を実現させるためのプログラムを提供する（請求項１３記載の発明）。
【０００７】
なお、請求項１記載の発明は次のようなものであってもよい。
住人の種類は、応対能力や身体能力などの各人の能力特性に応じて任意に設定された分類情報であり、前記制御手段は、能力の高い住人が居る場合には、訪問者が来訪したことを報知する屋内通知を行い、能力の低い住人しか居ない場合には、訪問者に要件を問い合わせる要件確認応答を行ってその回答結果を能力の高い住人所持の携帯端末に通知する（請求項２記載の発明）。
【０００８】
前記特定手段は、現在居る住人を認識してその種類を特定する他に、訪問者を認識してその種類を特定し、前記制御手段は、前記特定された住人の種類と訪問者の種類との対応関係に従って訪問者対応処理を選択して実行する（請求項３記載の発明）。
【０００９】
すなわち、前記特定された住人の種類が子供の場合に、前記制御手段は、訪問者が知人であれば、訪問者が来訪したことを報知する屋内通知を行い、訪問者が宅配・集金人などの特定業者であれば、訪問者が来訪したことを報知する屋内通知と、外出中の大人が所持している携帯端末への通知と、訪問者に一時待機を促す待機応答を行い、訪問者が不定であれば、訪問者に要件を問い合わせる要件確認応答を行ってその回答結果を外出中の大人が所持している携帯端末への通知を行う（請求項４記載の発明）。
【００１０】
また、前記特定された住人の種類が御年寄り場合に、前記制御手段は、訪問者が知人あるいは宅配・集金人などの特定業者であれば、訪問者が来訪したことを報知する屋内通知を行う他に、訪問者に一時待機を促す待機応答を行い、訪問者が不定であれば、訪問者に要件を問い合わせる要件確認応答を行ってその回答結果を外出中の他の大人が所持している携帯端末に通知する（請求項５記載の発明）。
【００１１】
前記特定手段は、住人の入場・退場時に撮影された撮影画像と予め登録されている登録画像とを比較することによって住人の種類を特定する他、訪問者を撮影した撮影画像と予め登録されている登録画像とを比較することによって訪問者の種類を特定する（請求項６記載の発明）。
【００１２】
前記複数種の住人が居る場合には、その中から優先順位の高い種類を特定する（請求項６記載の発明）。
【００１３】
請求項８記載の発明（第２の発明）は、屋内セキュリティを管理する屋内管理システムであって、住人毎に予め登録されているセキュリティレベルを記憶管理するセキュリティ情報記憶手段と、現在居る住人を認識してその住人対応のセキュリティレベルを特定する特定手段と、この特定手段によって特定されたセキュリティレベルに従って屋内セキュリティシステムの動作状態を制御する制御手段とを具備したことを特徴とする。
更に、コンピュータに対して、上述した請求項８記載の発明に示した主要機能を実現させるためのプログラムを提供する（請求項１４記載の発明）。
【００１４】
なお、請求項８記載の発明は次のようなものであってもよい。
前記セキュリティレベルは、屋内セキュリティシステムを非稼動状態とするオフレベルと、屋内セキュリティシステムを全稼動状態とするフルレベルと、それらの間のレベルとを含み、その中から任意に指定された何れかのセキュリティレベルを住人に対応付けて登録する（請求項９記載の発明）。
この場合、前記特定手段は、住人が現在居ない場合には前記フルレベルを特定するようにしてもよい（請求項１０記載の発明）。
【００１５】
前記屋内セキュリティシステムは、ドアロック作動システム、監視カメラシステム、センサ検知システム、通報システム、訪問者対応システムなどであり、前記特定されたセキュリティレベルに従って各セキュリティシステムの動作状態を制御する（請求項１１記載の発明）。
【００１６】
前記特定手段は、現在居る住人を認識すると共に、その現在の状態を認識し、この住人の現在の状態に応じてセキュリティレベルを特定する（請求項１２記載の発明）。
【発明の効果】
【００１７】
請求項１記載の発明（第１の発明）によれば、訪問者の来訪を検出した際に、現在居る住人の種類に応じた訪問者対応処理を選択して実行するようにしたから、訪問者対応処理を常に固定化せず、例えば、親が居る場合、小学生以下の子供しか居ない場合などのように、現在、どのような種類の住人が居るかによって訪問者対応処理を変更することができ、現状に即した適切な対応が可能となる。
【００１８】
請求項２記載の発明によれば、上述した請求項１記載の発明と同様の効果を有する他、応対能力や身体能力などが高い住人（例えば、親）が居る場合には、訪問者が来訪したことを報知する屋内通知を行い、応対能力や身体能力などが低い住人（例えば、小学生以下の子供）しか居ない場合には、訪問者に要件を問い合わせる要件確認応答を行ってその回答結果を外出中の親などが所持している携帯端末に通知するようにしたから、留守番している子供などがむやみに訪問者と接触することを避けることができ、また、携帯端末を介して外出先から子供などに対して、応対の仕方などを適切に指示することも可能となる。
【００１９】
請求項３記載の発明によれば、上述した請求項１記載の発明と同様の効果を有する他、現在居る住人を認識してその種類を特定する他に、訪問者を認識してその種類を特定し、この住人の種類と訪問者の種類との対応関係に従って訪問者対応処理を選択して実行するようにしたから、住人の種類の他に訪問者の種類をも考慮することで、更に、実情に即した対応が可能となる。
【００２０】
この場合、請求項４記載の発明のように、特定された住人の種類が子供の場合に、訪問者が知人であれば、訪問者が来訪したことを報知する屋内通知を行い、訪問者が宅配・集金人などの特定業者であれば、訪問者が来訪したことを報知する屋内通知と、外出中の大人が所持している携帯端末への通知と、訪問者に一時待機を促す待機応答を行い、訪問者が不定であれば、訪問者に要件を問い合わせる要件確認応答を行ってその回答結果を外出中の大人が所持している携帯端末への通知を行うことができる。
【００２１】
また、請求項５記載の発明のように、特定された住人の種類が御年寄り場合に、訪問者が知人あるいは宅配・集金人などの特定業者であれば、訪問者が来訪したことを報知する屋内通知を行い、訪問者が不定であれば、訪問者に要件を問い合わせる要件確認応答を行ってその回答結果を外出中の他の大人が所持している携帯端末に通知することができる。
【００２２】
また、請求項６記載の発明のように、住人の入場・退場時に撮影された撮影画像と予め登録されている登録画像とを比較することによって住人の種類を特定する他、訪問者を撮影した撮影画像と予め登録されている登録画像とを比較することによって訪問者の種類を特定するようにしたから、住人の種類、訪問者の種類を容易かつ確実に行うことができる。
【００２３】
請求項７記載の発明によれば、上述した請求項１記載の発明と同様の効果を有する他、複数種の住人が居る場合には、その中から優先順位の高い種類を特定したから、例えば、優先順位が親＞御年寄り＞子供の順であれば、親が居れば、親に関する訪問者対応処理が実行され、御年寄りと子供が居る場合や御年寄りしか居ない場合には、御年寄りに関する訪問者対応処理が実行され、子供しか居ない場合には、子供に関する訪問者対応処理が実行される。
【００２４】
請求項８記載の発明（第２の発明）によれば、住人毎に予め登録されているセキュリティレベルが記憶管理されている状態において、現在居る住人を認識してその住人対応のセキュリティレベルを特定し、このセキュリティレベルに従って屋内セキュリティシステムの動作状態を制御するようにしたから、現在居る住人に応じたセキュリティ管理が可能となる。例えば、子供しか居ない場合や深夜の就寝中には、厳重なセキュリティ管理を行い、大勢居る昼間の時間帯では、厳重なセキュリティ管理よりも、不必要な作動、過敏な作動、誤った作動による煩わしさを防いだり、節電を図る方が得策の場合があるため、現在誰が居るかによって必要最低限のセキュリティ管理を行うなど、現在居る住人に応じたセキュリティ管理を実現することが可能となる。なお、屋内セキュリティシステムの動作状態として、システムの稼動／非稼動を制御するの他に、監視・検知頻度や強度などを制御するようにしてもよく、どのように制御するかは任意である。
【００２５】
この場合、セキュリティレベルは、屋内セキュリティシステムを非稼動状態とするオフレベルと、屋内セキュリティシステムを全稼動状態とするフルレベルと、それらの間のレベルとを含み、その中から任意に指定された何れかのセキュリティレベルを住人に対応付けて登録するようにしたから（請求項９記載の発明）、オフレベルからフルレベルまでの複数レベルの中から任意に選択されたレベルを住人別に登録することができ、木目細かな登録が可能となる。
また、住人が現在居ない場合（留守の場合）には、無条件に上述のフルレベルを選択するようにしたから（請求項１０記載の発明）、現在、誰が居るかを確認しなくても厳重なセキュリティ管理が可能となる。
【００２６】
屋内セキュリティシステムは、ドアロック作動システム、監視カメラシステム、センサ検知システム、通報システム、訪問者対応システムなどであり、特定されたセキュリティレベルに従って各セキュリティシステムの動作状態を制御するようにしたから（請求項１１記載の発明）、多くのセキュリティシステムの中からレベルに応じたシステムのみを稼動したり、その動作状態を制御することができる。
【００２７】
また、現在居る住人を認識すると共に、その現在の状態を認識し、この住人の現在の状態に応じてセキュリティレベルを特定するようにしたから（請求項１２記載の発明）、例えば、就寝中か否かに応じたセキュリティ管理が可能となる。
【発明を実施するための最良の形態】
【００２８】
（実施例１）
以下、図１〜図５を参照して本発明の第１実施例を説明する。
図１は、この実施例における屋内管理システムの全体構成の概要を示したブロック図である。
この屋内管理システムは、一般家庭用の屋内管理システムであり、訪問者の来訪を検出した際に、現在居る住人に応じた適切な訪問者対応処理を実行可能としたもので、このシステムの中核を成すホームコントローラ１には、カメラ付きインターフォン機能を有する訪問者対応システム２が専用ケーブルあるいは無線ＬＡＮ（ローカル・エリア・ネットワーク）を介して接続されている。なお、ホームコントローラ１には、ホームセキュリティシステム３が専用ケーブルあるいは無線ＬＡＮを介して接続されている。なお、ホームセキュリティシステム３については、後述する第２実施例で詳述するが、このホームセキュリティシステム３には、玄関の扉を自動制御するドアロックシステム３１、帰宅者、訪問者、現在居る住人などを撮影監視する監視カメラシステム３２、火災発生・ガス漏れ発生・ガラス破壊などを検知する各種センサシステム３３、非常事態の発生を外部に報知する警報部３４を有している。
【００２９】
ホームコントローラ１は、この屋内管理システムの全体を管理するもので、このＣＰＵ１１は、記憶部１２内のオペレーティングシステムや各種のアプリケーションソフトに従ってこのホームコントローラ１の全体動作を制御する中央演算処理装置である。記憶部１２は、ハードディスク等の固定的なメモリであり、プログラム記憶領域とデータ記憶領域とを有している。この記憶部１２内のプログラム記憶領域には、後述する図４および図５に示す動作手順に従って本実施例を実現する為のアプリケーションプログラムが格納され、また、データ記憶領域には、後述する図２および図３に示すデータ（住人テーブル、訪問者テーブル）が格納されている。このプログラムやデータは、必要に応じてワークメモリ１３にロードされたり、このワークメモリ１３内のデータが記憶部１２にセーブされる。なお、記憶媒体１４は、ＣＤ−ＲＯＭ、ＤＶＤ等の着脱自在なメモリであり、記憶部１２やワークメモリ１３との間においてプログラムや画像データ等の受け渡しを行う。
【００３０】
一方、ＣＰＵ１１には、その入出力周辺デバイスである操作部１５、表示部１６、カメラ撮影部１７がバスラインを介して接続されており、入出力プログラムに従ってＣＰＵ１１は、これらの入出力デバイスの動作制御を行う。
操作部１５は、キーボードやタッチパネルを構成する入力部であり、文字列データや各種コマンドの入力を行う。表示部１６は、フルカラー表示を行う液晶表示部等である。カメラ撮影部１７は、ＣＣＤイメージセンサ等の撮像素子を備えたデジタルカメラであり、コントローラ本体の前面部に取り付けられ、応対者の顔を中心として自動撮影を行い、この撮影画像（ビデオ画像）を画像メモリ１８へ順次転送する。
【００３１】
訪問者対応システム２は、入場センサ２１、退場センサ２２、屋内通知部２３、インターフォン２４、外部通信部２５を有している。入場センサ２１、退場センサ２２は、玄関付近に設置された赤外線センサ等であり、家族や訪問者などの通過を検知してホームコントローラ１へ通知する。ここで、ホームコントローラ１は、この入場センサ２１／退場センサ２２から検知信号を受けた際に、監視カメラシステム３２に対して玄関付近に居る入場者／退場者を撮影すべきことを指示し、これによって撮影された人物画像を取り込んで画像解析を行って人物認識を行う。この場合、住人であれば、その人物を特定するが、訪問者であれば、その種類（知人／宅配・集金人などの特定業者／不定者）を特定するようにしている。なお、監視カメラシステム３２は、所定個所に設置された複数台の監視カメラ（デジタルスチルカメラあるいはデジタルビデオカメラ）を有し、各カメラは、広角撮影機能、ズーム機能等を有している。
【００３２】
屋内通知部２３は、訪問者の来訪時に、訪問者が来訪したことを報知する屋内通知を行うもので、チャイムと共にメッセージ表示によってその旨を報知するようになっている。この場合、ホームコントローラ１は、現在居る住人と訪問者との関係を考慮して屋内通知を行うようにしている。インターフォン２４は、屋内機器と屋外機器との間で通話を行うと共に、訪問者を撮影した画像を屋内から確認可能なもので、ホームコントローラ１は、訪問者に対して一時待機を促す待機応答メッセージ（音声メッセージや表示メッセージ）を屋外機器へ送信するが、この待機応答メッセージは、現在居る住人と訪問者との関係を考慮して行うようにしている。外部通信部２５は、外出中の親が所持している携帯電話（図示せず）を広域ネットワーク経由で呼び出すものである。ここで、ホームコントローラ１は、例えば、子供しか居ない時に不定者（不審者など）が来訪したような場合に、訪問者に要件を問い合わせる要件確認応答を行ってその回答結果を親側の携帯電話へ送信するようにしている。
【００３３】
図２は、住人テーブル４の構成を示した図である。
この住人テーブル４は、住人に関する情報を記憶管理するもので、住人毎に、予め登録された「顔画像」、「種類」、「在宅フラグ」の各項目を有している。ここで、「顔画像」は、人物認識用として予め登録されたもので、顔を中心に撮影された撮影画像である。「種類」は、応対能力などの各人の能力特性に応じて任意に登録された住人の種類を示す分類情報であり、この実施例においては、一般的な能力差を考慮して住人を「親」、「御年寄り」、「子供」の３種類に分類した場合を示しているが、その他に、「子供」であっても、「幼稚園以下」、「小学生以下」のように分類したり、「御年寄り」であっても、健康状態や身体能力等によって分類してもよい。「在宅フラグ」は、その住人が現在居るか否かを示すフラグである。
【００３４】
図３は、訪問者テーブル５の構成を示した図である。
この訪問者テーブル５は、訪問者に関する情報を記憶管理するもので、知人毎に、予め登録された「顔画像」、「名前」の各項目を有し、宅配・集金人などの特定業者毎に、予め登録された「制服画像」、「名前」の各項目を有している。「顔画像」は、知人を認識するために予め登録されたものであり、また、「制服画像」は、宅配・集金人などの特定業者を認識するために予め登録されたものである。
【００３５】
次に、この第１実施例における屋内管理システムの動作概念を図４および図５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体の他に、伝送媒体を介して外部供給されたプログラム／データを利用してこの実施例特有の動作を実行することもできる。
【００３６】
図４および図５は、ホームコントローラ１が実行する訪問者対応処理を示したフローチャートである。
先ず、ホームコントローラ１は、入場センサ２１からの検知信号の有無をチェックし、入場者が検知された場合には（ステップＡ１でＹＥＳ）、監視カメラシステム３２に対して玄関付近に居る入場者を撮影すべきことを指示し、これによって撮影された人物画像を取り込んで（ステップＡ２）、顔部分の画像を抽出する（ステップＡ３）。そして、この抽出画像（顔画像）と住人テーブル４内の各登録画像（顔画像）とを順次比較する（ステップＡ４）。その際、画像の顔の向き、大きさを補正した後、顔の輪郭、目、口、鼻、額等の形、位置、大きさ、髪型、メガネの有無と種類等を個別に比較する他、それらを総合比較することによって画像比較を行う（以下、同様）。
【００３７】
この結果、何れかの登録画像と特徴的に一致する場合には、住人が帰宅したものと判断し（ステップＡ５でＹＥＳ）、ドアロックシステム３１に対してドアロック解除指示を与え、玄関の扉を自動開放させると共に（ステップＡ６）、帰宅した住人に対応する住人テーブル４内の「在宅フラグ」をセットする（ステップＡ７）。そして、住人テーブル４内の各「在宅フラグ」を参照して、他の「在宅フラグ」のセット有無を調べる（ステップＡ８）。ここで、他の住人が既に帰宅している場合には、他の「在宅フラグ」はセットされているので、ステップＡ９に移り、「在宅フラグ」がセットされている各住人のうち、優先順位が最も高い種類を特定する。
【００３８】
なお、優先順位とは、応対能力の高い順を示し、「親」、「御年寄り」、「子供」の３種類のうち、優先順位は、「親」＞「御年寄り」＞「子供」となっている。従って、現在、「親」と「御年寄り」が在宅していれば、優先順位が最も高い種類として「親」が特定され、また、「御年寄り」と「子供」が在宅していれば、優先順位が最も高い種類として「御年寄り」が特定される。一方、他の「在宅フラグ」がセットされていなければ（ステップＡ８でＮＯ）、該当者（今回帰宅した者）の種類を優先順位が最も高い種類として特定する（ステップＡ１０）。以下、ステップＡ１に戻り、住人が帰宅する毎に上述の動作が実行される（ステップＡ１〜Ａ１０）。
【００３９】
一方、ホームコントローラ１は、退場センサ２２からの検知信号の有無をチェックし、退場者が検知された場合、つまり、外出者（住人）が検知された場合には（ステップＡ１１でＹＥＳ）、監視カメラシステム３２に対して玄関付近に居る外出者を撮影すべきことを指示し、これによって撮影された人物画像を取り込んで（ステップＡ１２）、顔部分の画像を抽出する（ステップＡ１３）。そして、この抽出画像（顔画像）と住人テーブル４内の各登録画像（顔画像）とを順次比較することによって外出者の特定を行う（ステップＡ１４）。更に、ドアロックシステム３１に対してドアロック解除指示を与え、玄関の扉を自動開放させると共に（ステップＡ１５）、外出した住人に対応する住人テーブル４内の「在宅フラグ」をリセットする（ステップＡ１６）。そして、住人テーブル４内の各「在宅フラグ」を参照して、他の「在宅フラグ」のセット有無を調べる（ステップＡ１７）。ここで、他の「在宅フラグ」がセットされていなければ、「留守フラグ」をセットするが（ステップＡ１８）、他の「在宅フラグ」がセットされていれば、上述のステップＡ９に移り、「在宅フラグ」がセットされている各住人のうち、優先順位が最も高い種類を特定する。
【００４０】
他方、上述したステップＡ５において、住人テーブル４内の各登録画像（顔画像）の何れにも特徴的に不一致の場合、つまり、入場者が住人でないことが判別された場合には、図５のステップＡ２０に移り、上述した「留守フラグ」のセット有無をチェックし、「留守フラグ」がセットされている場合には、インターフォン２４を介して訪問者に不在メッセージを応答出力すると共に、要件を問い合わせる確認メッセージを応答出力する（ステップＡ２１）。この不在応答および要件確認応答は、音声メッセージや表示メッセージによって行われる。これによって訪問者から要件に関する回答結果（音声メッセージ）を受けた場合には、これを取り込んで録音した後（ステップＡ２２）、現在外出中の親が所持している携帯端末を呼び出し、この入場者画像（訪問者画像）と共に録音内容（要件回答）を親の携帯端末へ通知する（ステップＡ２３）。
【００４１】
また、留守フラグがリセットされている場合には（ステップＡ２０でＮＯ）、撮影画像から抽出した抽出画像（顔画像）と訪問者テーブル５内の各登録画像（知人の各顔画像）とを順次比較し（ステップＡ２４）、何れかの登録画像と特徴的に一致する場合には、知人が来訪したものと判断し（ステップＡ２５でＹＥＳ）、屋内通知部２３を介して知人が来訪した旨の屋内メッセージを通知すると共に（ステップＡ３０）、訪問者（知人）に一時待機を促す待機応答を音声メッセージや表示メッセージによって行う（ステップＡ３１）。
【００４２】
また、何れの登録画像にも特徴的に不一致の場合、つまり、入場者が知人でない場合には（ステップＡ２５でＮＯ）、撮影画像の服装部分に着目し、この服装画像と訪問者テーブル５内の各登録画像（業者の各服装画像）とを順次比較し（ステップＡ２６）、何れかの登録画像と特徴的に一致する場合には、宅配・集金人などの特定業者が来訪したと判断する（ステップＡ２７でＹＥＳ）。そして、在宅者は、子供だけかをチェックする（ステップＡ２８）。すなわち、上述したステップＡ９あるいはＡ１０で特定された住人の種類が「子供」か否かを判別し、「親」あるいは「御年寄り」の場合には、上述した知人の場合と同様に、屋内通知部２３を介して特定業者が来訪した旨の屋内メッセージを通知すると共に（ステップＡ３０）、訪問者（特定業者）に一時待機を促す待機応答を音声メッセージや表示メッセージによって行う（ステップＡ３１）。
【００４３】
子供だけが在宅している場合には（ステップＡ２８でＹＥＳ）、現在外出中の親が所持している携帯端末を呼び出して宅配・集金人などの特定業者が来訪した旨を通知する他に（ステップＡ２９）、屋内通知部２３を介して特定業者が来訪した旨の屋内メッセージを通知すると共に（ステップＡ３０）、訪問者（特定業者）に一時待機を促す待機応答を音声メッセージや表示メッセージによって行う（ステップＡ３１）。この場合、外出中の親は、子供の携帯端末を呼び出し、どのように応対すべきかの的確な指示を与えることができる。
【００４４】
訪問者が知人でなく（ステップＡ２５でＮＯ）、しかも、宅配・集金人などの特定業者でもなければ（ステップＡ２７でＮＯ）、すなわち、訪問者が不定（見知らぬ者）であれば、インターフォン２４を介して訪問者に対して要件を問い合わせる確認メッセージを応答出力し（ステップＡ３２）、これによって訪問者から要件に関する回答結果（音声メッセージ）を受けた場合には、これを取り込んで録音した後（ステップＡ３３）、在宅者は親か否かを調べる（ステップＡ３４）。つまり、上述したステップＡ９あるいはＡ１０で特定された住人の種類が「親」か否かを判別し、「親」が在宅していれば、録音内容（要件内容）を読み出して屋内通知部２３から通知出力するが（ステップＡ３５）、親が居ない場合、つまり、「御年寄り」または「子供」が居る場合には（ステップＡ３４でＮＯ）、現在外出中の親が所持している携帯端末を呼び出し、この入場者画像（不定訪問者画像）と共に録音内容（要件回答）を親の携帯端末へ通知する（ステップＡ３６）。
【００４５】
以上のように第１実施例におけるホームコントローラ１は、訪問者の来訪を検出した際に、現在在宅している住人の種類に応じた訪問者対応処理を選択して実行するようにしたから、訪問者対応処理を固定化せず、親が居る場合、子供しか居ない場合などのように、現在、どのような種類の住人が居るかによって訪問者対応処理を変更することができ、現状に即した適切な対応が可能となる。
【００４６】
すなわち、親が居る場合には、訪問者が来訪したことを報知する屋内通知を行い、子供しか居ない場合には、訪問者に要件を問い合わせる要件確認応答を行ってその回答結果を外出中の親などが所持している携帯端末に通知するようにしたから、留守番している子供などがむやみに訪問者と接触することを避けることができ、また、携帯端末を介して外出先から子供などに対して、応対の仕方などを適切に指示することが可能となる。
更に、現在居る住人を認識してその種類を特定する他に、訪問者を認識してその種類を特定し、この住人の種類と訪問者の種類との対応関係に従って訪問者対応処理を選択して実行するようにしたから、更に、実情に即した対応が可能となる。
【００４７】
この場合、特定された住人の種類が子供の場合に、訪問者が知人であれば、訪問者が来訪したことを報知する屋内通知を行い、訪問者が宅配・集金人などの特定業者であれば、訪問者が来訪したことを報知する屋内通知と、外出中の大人が所持している携帯端末への通知と、訪問者に一時待機を促す待機応答を行い、訪問者が不定であれば、訪問者に要件を問い合わせる要件確認応答を行ってその回答結果を外出中の親が所持している携帯端末への通知を行うことができる。
【００４８】
また、特定された住人の種類が御年寄り場合に、訪問者が知人あるいは宅配・集金人などの特定業者であれば、訪問者が来訪したことを報知する屋内通知を行い、訪問者が不定であれば、訪問者に要件を問い合わせる要件確認応答を行ってその回答結果を外出中の他の大人（親）が所持している携帯端末に通知することができる。
【００４９】
住人の入場・退場時に撮影された撮影画像と予め登録されている住人テーブル４内の登録画像とを比較することによって住人の種類を特定する他、訪問者を撮影した撮影画像と予め登録されている訪問者テーブル５内の登録画像とを比較することによって訪問者の種類を特定するようにしたから、住人の種類、訪問者の種類を容易かつ確実に行うことができる。
【００５０】
また、複数種の住人が居る場合には、その中から優先順位の高い種類を特定するようにしたから、例えば、優先順位が親＞御年寄り＞子供の順であれば、親が居れば、親に関する訪問者対応処理を実行することができ、御年寄りと子供が居る場合には、御年寄りに関する訪問者対応処理を実行することができ、子供しか居ない場合には、子供に関する訪問者対応処理を実行することができる。
【００５１】
なお、上述した第１実施例においては、住人テーブル４、訪問者テーブル５への登録については、特に言及しなかったが、住人テーブル４に対する登録は、各人毎に撮影した顔画像をその種類に対応付けて登録する作業を人数分繰り返して行えばよい。その際、画像認識率を高めるために、複数の顔画像を登録したり、定期的に顔画像を更新登録するようにしてもよい。同様に、訪問者テーブル５に対する登録も基本的には同様であるが、この場合、訪問者を撮影した撮影画像を収集保存しておき、この保存画像をリスト表示させ、訪問者（知人）毎に、その顔画像と名前とを対応付けて登録する作業を行う他、定期的にその顔画像を更新登録するようにすればよい。更に、訪問者テーブル５に特定業者の服装画像を登録する場合にも、保存画像をリスト表示させた状態において、その服装画像と名前とを対応付けて登録する作業を行う他、定期的にその服装画像を更新登録するようにすればよい。
【００５２】
上述した第１実施例においては、特定された住人の種類が子供の場合に、訪問者が宅配・集金人などの特定業者であれば、訪問者が来訪したことを報知する屋内通知と、外出中の大人が所持している携帯端末への通知と、訪問者に一時待機を促す待機応答を行うようにしたが、例えば、ホームコントローラ１は、宅配・集金人などの特定業者毎に、その応対の仕方を説明するための業者応対メッセージを予め記憶管理しておき、来訪した業者を認識した際に、この業者に対応付けられている業者応対メッセージを読み出して子供所持の携帯端末などに案内出力するようにしてもよい。
【００５３】
また、上述した第１実施例においては、特定された住人の種類が子供あるいは御年寄りの場合に、訪問者が不定であれば、訪問者に要件を問い合わせる要件確認応答を行ってその回答結果を外出中の親が所持している携帯端末への通知するようにしたが、ホームコントローラ１は、訪問者が不定であることを認識した際に、応対しないことを報知する応対不可メッセージを子供所持あるいは御年寄りの所持の携帯端末などに案内出力するようにしてもよい。
【００５４】
上述した第１実施例においては、住人の入場・退場時に撮影された撮影画像と住人テーブル４内の登録画像とを比較することによって住人の種類を特定する他、訪問者を撮影した撮影画像と訪問者テーブル５内の登録画像とを比較することによって訪問者の種類を特定するようにしたが、画像比較による特定の他に、他の人物認証、例えば、音声認識、虹彩認識などによって住人や訪問者の種類を特定するようにしてもよい。
【００５５】
また、住人の種類を「親」、「御年寄り」、「子供」としたが、その他に、「子供」であっても、「幼稚園以下」、「小学生以下」、「中学生以上」のように分類したり、「大人」、「御年寄り」であっても、健康状態や身体能力等によって分類するようにしてもよい。更に、住人としては、上述した如く、家族の他、同居人や一時的な滞在者をも含むようにしてもよく、また、家族であれば、居住の有無を問わない。
また、訪問者の種類を「知人」、「特定業者」「不定者」としたが、「知人」であっても、誰の知人かによって分類するようにしてもよい。
【００５６】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、現在居る住人を認識してその種類を特定する機能と、訪問者の来訪を検出した際に、前記特定された住人の種類に対応付けられている訪問者対応処理を選択して実行する機能とを実現させるためのプログラムを記録したコンピュータが読み取り可能な記録媒体を提供するようにしてもよい。
（実施例２）
【００５７】
以下、この発明の第２実施例について図６〜図９を参照して説明する。
なお、上述した第１実施例においては、訪問者の来訪を検出した際に、現在居る住人の種類に応じて適切な訪問者対応処理を実行するようにしたが、この第２実施例においては、ホームセキュリティシステム３を構成するドアロックシステム３１、監視カメラシステム３２、各種センサシステム３３、警報部３４のうち、現在居る住人に応じて適切なセキュリティシステムを稼動するようにしたものである。すなわち、住人毎に予め登録されているセキュリティレベルが記憶管理されている状態において、現在居る住人を認識してその住人対応のセキュリティレベルを特定すると共に、このセキュリティレベルに従って屋内セキュリティシステムを稼動するようにしたものである。
ここで、両実施例において基本的あるいは名称的に同一のものは、同一符号を付して示し、その説明を省略すると共に、以下、第２実施例の特徴部分を中心に説明するものとする。
【００５８】
この第２実施例においては、ホームコントローラ１側には、上述した住人テーブル４の他に、図６に示すセキュリティレベル管理テーブル６および図７に示すセキュリティ制御テーブル７が設けられている。
セキュリティレベル管理テーブル６は、図６に示すように、住人の種類に応じたセキュリティレベルを記憶管理するもので、「住人の種類」、「住人の状態」、「セキュリティレベル」の各項目を有する構成となっている。「住人の種類」は、上述した第１実施例と同様に、一般的な能力差を考慮して住人を「親」、「御年寄り」、「子供」の３種類に分類した場合を示している。「住人の状態」は、家に居る住人の現在の状態を示したもので、この例では、「就寝中」か、その他の「通常状態」かを示している。
【００５９】
「セキュリティレベル」は、ホームセキュリティシステム３を構成するドアロックシステム３１、監視カメラシステム３２、各種センサシステム３３、警報部（通報）３４のうち、どのセキュリティシステムを稼動するかを示すもので、セキュリティレベル管理テーブル６には、予め決められている複数種のセキュリティレベルのうち、現在居る住人の種類とその状態に相応しいセキュリティレベルが設定されている。この例では、複数種のセキュリティレベルとして、各セキュリティシステムの全てを非稼動状態とする「オフレベル：ｏｆｆ」と、各セキュリティシステムの全てを稼動状態とする「フルレベル：ｆｕｌｌ」と、それらの間の「第1レベル」、「第２レベル」からなる４段階のレベルを有している。
【００６０】
図７は、セキュリティ制御テーブル７の構成を示した図である。
このセキュリティ制御テーブル７は、複数種のセキュリティレベルに対応して各セキュリティシステムの稼動／非稼動を指示するための制御情報を記憶管理するものであり、マトリックス状の表内において、その縦方向には「セキュリティレベル」、横方向には制御対象の「セキュリティシステム」が定義され、また、縦横の交差部分（セル部分）には、「稼動」、「非稼動」を示す制御情報が設定されている。なお、図中、○印は、「稼動」、×印は、「非稼動」を示す制御情報である。この場合、図示の例では、玄関の扉を自動制御するためのドアロックシステム３１には、全てのセキュリティレベル、つまり、「オフレベル」、「第1レベル」、「第２レベル」、「フルレベル」に対応して「稼動」が設定されている。
【００６１】
監視カメラシステム３２には、「オフレベル」を除く、他の全てのセキュリティレベルに対応して「稼動」が設定されている。各種センサシステム３３は、火災発生検知センサ、ガス漏れ発生検知センサ、ガラス破壊検知センサを有しているが、火災発生検知センサおよびガス漏れ発生検知センサには、「オフレベル」を除く、他の全てのセキュリティレベルに対応して「稼動」が設定され、ガラス破壊検知センサには、「フルレベル」を除く、他の全てのセキュリティレベルに対応して「非稼動」が設定されている。更に、非常事態の発生を警備会社等の外部に知らせるための警報部（通報）３４には、「オフレベル」、「第1レベル」に対応して「非稼動」が設定され、「第２レベル」、「フルレベル」に対応して「稼動」が設定されている。
【００６２】
図８および図９は、現在居る住人に応じてセキュリティシステムの稼動を制御する場合の動作を示したフローチャートである。
先ず、ホームコントローラ１は、入場センサ２１からの検知信号の有無をチェックし、入場者が検知された場合には（ステップＢ１でＹＥＳ）、監視カメラシステム３２に対して玄関付近に居る入場者を撮影すべきことを指示し、これによって撮影された人物画像を取り込んで（ステップＢ２）、顔部分の画像を抽出する（ステップＢ３）。そして、この抽出画像（顔画像）と住人テーブル４内の各登録画像（顔画像）とを順次比較する（ステップＢ４）。
【００６３】
この結果、何れかの登録画像と特徴的に一致する場合には、住人が帰宅したものと判断し（ステップＢ５でＹＥＳ）、ドアロックシステム３１に対してドアロック解除指示を与え、玄関の扉を自動開放させると共に（ステップＢ６）、帰宅した住人に対応する住人テーブル４内の「在宅フラグ」をセットする（ステップＢ７）。そして、住人テーブル４内の各「在宅フラグ」を参照して、他の「在宅フラグ」のセット有無を調べる（ステップＢ８）。ここで、他の住人が既に帰宅している場合には、他の「在宅フラグ」はセットされているので、ステップＢ９に移り、「在宅フラグ」がセットされている各住人のうち、優先順位が最も高い種類を特定する。なお、この場合においても、優先順位とは、応対能力の高い順を示し、「親」、「御年寄り」、「子供」の３種類のうち、優先順位は、「親」＞「御年寄り」＞「子供」となっている。従って、現在、「親」と「御年寄り」が在宅していれば、優先順位が最も高い種類として「親」が特定され、また、「御年寄り」と「子供」が在宅していれば、優先順位が最も高い種類として「御年寄り」が特定される。一方、他の「在宅フラグ」がセットされていなければ（ステップＢ８でＮＯ）、優先順位が最も高い種類として、該当者（今回帰宅した者）の種類が特定される（ステップＢ１０）。以下、住人が帰宅する毎に上述の動作が実行される。
【００６４】
他方、ホームコントローラ１は、退場センサ２２からの検知信号の有無をチェックし、退場者が検知された場合、つまり、外出者（住人）が検知された場合には（ステップＢ１１でＹＥＳ）、監視カメラシステム３２に対して玄関付近に居る外出者を撮影すべきことを指示し、これによって撮影された人物画像を取り込んで（ステップＢ１２）、顔部分の画像を抽出する（ステップＢ１３）。そして、この抽出画像（顔画像）と住人テーブル４内の各登録画像（顔画像）とを順次比較することによって外出者の特定を行う（ステップＢ１４）。
【００６５】
更に、ドアロックシステム３１に対してドアロック解除指示を与え、玄関の扉を自動開放させると共に（ステップＢ１５）、外出した住人に対応する住人テーブル４内の「在宅フラグ」をリセットする（ステップＢ１６）。そして、住人テーブル４内の各「在宅フラグ」を参照して、他の「在宅フラグ」のセット有無を調べる（ステップＢ１７）。ここで、他の「在宅フラグ」がセットされていなければ、「留守フラグ」をセットするが（ステップＢ１８）、他の「在宅フラグ」がセットされていれば、上述のステップＢ９に移り、「在宅フラグ」がセットされている各住人のうち、優先順位が最も高い種類を特定する。
【００６６】
このような帰宅・外出処理の非実行タイミングでは（ステップＢ１、Ｂ１１でＮＯ）、セキュリティ制御処理の実行に移る。すなわち、「留守フラグ」のセット有無をチェックし（ステップＢ２０）、「留守フラグ」がセットされている場合には、セキュリティレベルとして無条件に「フルレベル」を選択して、全てのセキュリティシステムを稼動状態に設定するが（ステップＢ２１）、「留守フラグ」がリセットされている場合には（ステップＢ２０でＮＯ）、「在宅フラグ」がセットされている在宅中の住人のうち、上述のステップＢ９あるいはＢ１０で特定した種類の住人を監視カメラシステム３２（屋内監視カメラ）によって監視し続けながらその状態をチェックする。
【００６７】
すなわち、各人の寝室に設置された屋内監視カメラによって撮影された撮影画像を取り込み（ステップＢ２２）、この撮影画像を解析することによって就寝中か否かの住人の状態を認識し、就寝中でなければ、「通常状態」あることを認識する（ステップＢ２３）。そして、特定した住人の種類とその現在の状態に基づいてセキュリティレベル管理テーブル６をアクセスし、これらに該当するセキュリティレベルを選択的に読み出す（ステップＢ２４）。そして、選択されたセキュリティレベルに基づいてセキュリティ制御テーブル７をアクセスし、各セキュリティシステムの稼動／非稼動を認識して、その動作制御を行う（ステップＢ２５）。
【００６８】
以上のように、この第２実施例においてホームコントローラ１は、セキュリティレベル管理テーブル６、セキュリティ制御テーブル７が記憶管理されている状態において、現在居る住人の種類を認識してその住人対応のセキュリティレベルを特定し、このセキュリティレベルに従って屋内セキュリティシステムの稼動を制御するようにしたから、現在居る住人に応じたセキュリティ管理が可能となる。例えば、子供しか居ない場合や深夜の就寝中には、厳重なセキュリティ管理を行い、大勢居る昼間の時間帯では、厳重なセキュリティ管理よりも、不必要な作動、過敏な作動、誤った作動による煩わしさを防いだり、節電を図る方が得策の場合があるため、現在誰が居るかによって必要最低限のセキュリティ管理を行うなど、現在居る住人に応じたセキュリティ管理を実現することが可能となる。
【００６９】
この場合、セキュリティレベルとしては、「オフレベル」、「フルレベル」、「第1レベル」、「第２レベル」を有し、その中から任意に指定された何れかのセキュリティレベルを住人の種類に対応付けて登録するようにしたから、オフレベルからフルレベルまでの４種類のレベルの中から任意に選択されたレベルを住人の種類に応じて登録することができ、木目細かな登録が可能となる。また、住人が現在居ない留守の場合には、無条件にフルレベルとしたから、厳重なセキュリティ管理が可能となる。また、特定された住人の種類の他に、その現在の状態を認識し、住人の種類と現在の状態に応じてセキュリティレベルを選択するようにしたから、例えば、就寝中か否かのように実情に応じたセキュリティ管理が可能となる。
【００７０】
なお、上述した第２実施例においては、住人の種類として「親」、「御年寄り」、「子供」としたが、その他に、「子供」であっても、「幼稚園以下」、「小学生以下」、「中学生以上」のように分類したり、「大人」、「御年寄り」であっても、健康状態や身体能力等によって分類するようにしてもよい。更に、住人としては、上述した如く、家族の他、同居人や一時的な滞在者をも含むようにしてもよく、また、家族であれば、居住の有無を問わない。
【００７１】
また、住人の状態として「就寝中」、「通常」を例示した場合を説明したが、その他に、例えば、「入浴中」、「洗髪中」等を認識するようにしてもよい。
更に、上述した第２実施例においては、各セキュリティシステムの稼動／非稼動を制御するようにしたが、各セキュリティシステムの監視頻度、検知頻度あるいは強度などを制御するようにしてもよい。
【００７２】
一方、コンピュータが読み取り可能なプログラムコードを有する記録媒体であって、住人毎に予め登録されているセキュリティレベルを記憶管理する機能と、現在居る住人を認識してその住人対応のセキュリティレベルを特定する機能と、特定されたセキュリティレベルに従って屋内セキュリティシステムの稼動を制御する機能とを実現させるためのプログラムを記録したコンピュータが読み取り可能な記録媒体を提供するようにしてもよい。
【図面の簡単な説明】
【００７３】
【図１】屋内管理システムの全体構成の概要を示したブロック図。
【図２】ホームコントローラ１側に設けられている住人テーブル４の構成を示した図。
【図３】ホームコントローラ１側に設けられている訪問者テーブル５の構成を示した図。
【図４】ホームコントローラ１が実行する訪問者対応処理を示したフローチャート。
【図５】図４に続く、フローチャート。
【図６】第２実施例において、ホームコントローラ１側に設けられているセキュリティレベル管理テーブル６の構成を示した図。
【図７】第２実施例において、ホームコントローラ１側に設けられているセキュリティ制御テーブル７の構成を示した図。
【図８】第２実施例において、現在居る住人に応じてセキュリティシステムの稼動を制御する場合の動作を示したフローチャート。
【図９】図８に続く、フローチャート。
【符号の説明】
【００７４】
１  ホームコントローラ
２  訪問者対応システム
３  ホームセキュリティシステム
４  住人テーブル
５  訪問者テーブル
６  セキュリティレベル管理テーブル
７  セキュリティ制御テーブル
１１  ＣＰＵ
１２  記憶部
１５  操作部
１６  表示部
１７  カメラ撮影部
２１  入場センサ
２２  退場センサ
２３  屋内通知部
２４  インターフォン
２５  外部通信部
３１  ドアロックシステム
３２  監視カメラシステム
３３  各種センサシステム
３４  警報部
【図１】
2005135230.tif 000003
【図２】
2005135230.tif 000004
【図３】
2005135230.tif 000005
【図４】
2005135230.tif 000006
【図５】
2005135230.tif 000007
【図６】
2005135230.tif 000008
【図７】
2005135230.tif 000009
【図８】
2005135230.tif 000010
【図９】
2005135230.tif 000011